(57)【要約】【課題】  組立工具の有無にかかわらず何時何処でも短時間に組立または分解ができる。【解決手段】  木質系の天板５、側板１０および底板１５を連結して枠体４を形成し、この枠体の背面１９に背板４４を固定する収納体２であって、天板５、側板１０および底板１５はその連結部において枠体の奥行き方向２１に設けられる溝６、１１、１６を有するとともに溝６、１１、１６の開口側は括れた形状に形成され、天板５と側板１０、側板１０と底板１５は溝６、１１、１６に挿入される連結部材２３によって連結され、連結部材２３の断面における一端側部分３６が連結部の一方の木質部材の溝に、他端側部分３８が連結部の他方の木質部材の溝にそれぞれ挿入されることにより連結され、枠体４が形成された後、背板が着脱自在のリベットにより固定される。【選択図】              図１
2007037883.tif 000002
【特許請求の範囲】
【請求項１】
複数の木質部材を連結して枠体を形成し、該枠体の背面に背板を固定する収納体であって、前記各木質部材はその連結部において前記枠体の奥行き方向に設けられる溝を有するとともに該溝の開口側は括れた形状に形成され、前記木質部材同士は前記溝に挿入される連結部材によって連結され、該連結部材の断面における一端側部分が前記連結部の一方の木質部材の溝に、他端側部分が前記連結部の他方の木質部材の溝にそれぞれ挿入されることにより連結され、前記枠体が形成された後、前記背板は着脱自在の固定手段により固定されてなる収納体。
【発明の詳細な説明】
【技術分野】
【０００１】
本発明は、複数の木質部材を互いに連結して形成する収納体に関する。
【背景技術】
【０００２】
木質部材同士を互いに連結して形成する収納体としては、たとえば側板と棚板から形成され、側板に形成された孔に挿し込まれるとともに頭部が突出するビスと、棚板の上面に形成された取付円孔に回動自由に着座される締付円盤とからなり、締付円盤は、その下面側にビスの頭部が挿入される切欠きと、ビスの頭部が係合するカム溝とを備え、締付円盤にビスの頭部が切欠きを介してカム溝に挿入、係合され、締付円盤が回動されると、側板と棚板とがビスと締付円盤からなる締付具により連結固定されるものが知られている（下記特許文献１参照）。
【特許文献１】実公昭５９−３２３４３号公報
【発明の開示】
【発明が解決しようとする課題】
【０００３】
しかしながら、上記従来の収納体は、組立後に何らかの理由により締付具が緩んだ場合には木質部材同士の連結が不十分になり、収納体として使用できなくなるおそれがあった。さらに、組立や分解時にはドライバーなどの工具が必要になるので、何時何処ででも組立や分解ができるとは限らなかった。
【０００４】
本発明が解決しようとする課題は、組立工具の有無にかかわらず何時何処でも短時間に組立または分解ができることである。
【課題を解決するための手段】
【０００５】
上記課題を解決するため本発明は、複数の木質部材を連結して枠体を形成し、該枠体の背面に背板を固定する収納体であって、前記各木質部材はその連結部において前記枠体の奥行き方向に設けられる溝を有するとともに該溝の開口側は括れた形状に形成され、前記木質部材同士は前記溝に挿入される連結部材によって連結され、該連結部材の断面における一端側部分が前記連結部の一方の木質部材の溝に、他端側部分が前記連結部の他方の木質部材の溝にそれぞれ挿入されることにより連結され、前記枠体が形成された後、前記背板は着脱自在の固定手段により固定されてなることを特徴とする。
【０００６】
このようにすることにより、各木質部材は、それぞれの連結部において枠体の奥行き方向に設けられる溝を有するとともに溝の開口側は括れた形状に形成される。これに対して、連結部材の一端側部分と他端側部分は、それぞれ連結部の一方の木質部材の溝、連結部の他方の木質部材の溝に挿入される。これにより複数の木質部材は枠体に形成される。さらに、この枠体の背面に背板が着脱自在の固定手段により固定されることにより、枠体を形成する各木質部材同士の位置関係が固定され、収納体を形成することができる。
【０００７】
逆に、収納体の背面に固定されている固定手段を外すことにより枠体から背板が外される。さらに、木質部材同士を連結する連結部材を抜くことにより枠体を形成する各木質部材は分解される。
【０００８】
次に本発明を構成する各要件についてさらに詳しく説明する。枠体は、複数の木質部材を互いに直交するように連結されても良いし、ある角度をもって連結されても良い。木質部材同士は、直接当接状態で連結される場合や互いに離れた状態で連結される場合も含む。
【０００９】
木質部材が有する溝は、収納体の奥行き方向に形成され、かつ開口側が括れた形状に形成される。木質部材の材質は、たとえば無垢木材、集成材、合板、あるいはＭＤＦ、ＨＢなどの繊維板などである。木質部材の形状は、特に限定されないが、たとえば板状部材、棒状部材などで任意部材の組み合わせを含む。
【００１０】
連結部材は、その断面における一端側部分と他端側部分がそれぞれの木質部材の溝に適合し、溝の開口側に対応する一端側部分の基部、他端側部分の基部が括れた形状である。連結部材の断面は、中実、中空、あるいは閉断面、開断面などであり、具体的な断面は鼓形、アレー形またはＩ字形、異形アレー形、異形Ｉ字形その他の形状である。なお、連結部材の一端側部分の形状、大きさと他端側部分の形状、大きさとは必ずしも同じである必要はない。
【００１１】
さらに、連結部材の断面における一端側部分と他端側部分は隣接した状態で設けられても良いし、互いに離れた状態で設けられても良い。一端側部分と他端側部分が隣接した状態で設けられる場合は、第１の木質部材と第２の木質部材は当接して連結される。一端側部分と他端側部分が互いに離れた状態で設けられる場合は、第１の木質部材と第２の木質部材は離れた状態で連結される。
【００１２】
木質部材の溝に挿入した連結部材の正面側端面に化粧用キャップを嵌めても良い。また、木質部材の溝を枠体（または収納体）の奥行き方向に背面側から正面側まで貫通させずに、正面側（表側）の表面から適宜の厚さ、たとえば数ミリの厚みが残るように、裏面側（裏面）から正面側に向かって奥行き方向に溝が形成されても良い。こうすると、表面に溝が現れないので、キャップを使用するまでもなく意匠上好ましい。
【００１３】
背板は、枠体の背面に着脱自在の固定手段により固定され、枠体の形状を保持する機能を有し、ある程度の強度を有する板材である。たとえば合板、集成板、無垢木板、繊維板などを使用する。
【００１４】
固定手段としては、合成樹脂や金属などで形成されたワンタッチ式の着脱部品で、たとえば本体とピンからなるリベットであって、本体は、テーパー筒部とフランジから形成され、本体の中心にはテーパー筒部とフランジとを貫通する貫通孔が形成され、貫通孔に上記ピンの胴部を挿入することによりテーパー筒部の外径が拡大されるようにし、背板が固定される木質部材側には本体のテーパー筒部が挿入される孔を設け、この孔はテーパー筒部の拡大径より小さく形成される。背板を固定する際は、背板に形成された孔を介して本体のテーパー筒部を木質部材側の孔に挿入し、ピンの胴部を押し込めることにより背板を枠体の背面に固定する。
【発明の効果】
【００１５】
本発明の収納体によれば、組立工具の有無にかかわらず何時何処でも短時間に組立または分解ができる。さらに、本発明による収納体は、木質部材の状態で輸送できるので輸送効率も良い。
【発明を実施するための最良の形態】
【００１６】
以下、本発明に係る収納体の実施形態を図面に基いて詳細に説明する。なお、図１〜１１において、同一または同等部分には同一符号を付けて示す。
【実施例１】
【００１７】
図１は、本発明に係る収納体の一実施形態を示し、手前側の背板を外した状態の斜視図である。図２は、図１における右側面図である。本実施形態の収納体２は、クローゼット、玄関収納ユニットあるいは家具、什器などに適用可能なもので、天板（木質部材）５、側板（木質部材）１０および底板（木質部材）１５の四つの木質部材を連結して枠体４を形成し、この枠体の背面１９に背板４４（図２）を固定したものである。天板５、側板１０および底板１５の材質は、たとえば集成材やＭＤＦなどである。
【００１８】
天板５、側板１０および底板１５の各木質部材は、その連結部８、１３、１８において枠体の奥行き方向（背面と正面を結ぶ方向）２１に設けられる溝６、１１、１６を有するとともに、これら溝６、１１、１６の開口側は括れた形状に形成される。枠体４の上部は、天板５と側板１０とが互いに直交するように直角状に連結され、かつ天板５の下面が側板１０の上側木口を覆うように天板５勝ちに連結される。枠体４の下部は、側板１０と底板１５とが互いに直交するように直角状に連結され、底板１５の左右側木口が側板１０の内面で覆われるように側板１０勝ちに形成される。
【００１９】
図３は、図１、２に示した連結部材の断面図である。連結部材２３は、断面鼓形の棒状部材で、上下方向中央部分４０が括れた形状に形成される。連結部材の一端側部分３６と他端側部分３８とは、連結部材２３の断面において二分の一ずつ、すなわち一端側部分３６の上下方向高さと他端側部分３８の上下方向高さは同じである。連結部材２０の断面における一端側部分３４の形状と大きさおよび他端側部分３５の形状と大きさは、それぞれ図１に示す天板の溝６、側板の溝１１および底板の溝１６に適合するように形成される。
【００２０】
図４は、図１〜３に示す枠体の組立方法を説明する図で、（ａ）は天板の溝の開口部と側板の溝の開口部とを対向させた状態の斜視図、（ｂ）は天板の溝と側板の溝とに連結部材を挿入する状態の斜視図である。天板５および側板１０は、それぞれの連結面に開口する溝６、１１を有し、かつ各溝の開口側６ａ、１１ａは括れた形状に形成される。これに対して、連結部材２３の一端側部分３６と他端側部分３８は、それぞれ天板の溝６、側板の溝１１に適合するように、すなわち連結部材２３の断面において、一端側部分３６の先端と他端側部分３８の先端の幅は連結部材２３の中央部分４０の幅に比べ大きく形成される。
【００２１】
天板５と側板１０とを連結するときには、まず天板の溝６の開口部と側板の溝１１の開口部とを、その長手方向を一致させて対向させる。次に、天板の溝６と側板の溝１１にそれぞれ連結部材の一端側部分３６、他端側部分３８を挿入する。これにより天板５と側板１０とは連結部材２３を介して連結される。なお、側板１０と底板１５との連結構造についても、側板の溝１１に連結部材の一端側部分３６を、底板の溝１６に連結部材の他端側部分３８をそれぞれ挿入することにより連結され、天板５と側板１０との連結構造に準じて形成される。
【００２２】
図５は、背板を天板に着脱自在のリベットで固定する状態の要部断面図である。図６は、図５においてピンの胴部を本体のテーパー筒部に押し込めて背板を枠体に固定した状態の要部断面図である。背板４４は、枠体が形成された後、天板５に対して着脱自在のリベット（固定手段）４８により固定される。背板４４を固定するリベットの位置と数は適宜とし、たとえば、図１に示すように、四隅２箇所と天板の中央１箇所の合計１０箇所とする。
【００２３】
リベット４８は、本体５０およびピン５５から形成される。本体５０は、中央に貫通孔５１ａを有し、先端から基端にかけてスリット５１ｂを有するテーパー筒部５１と、テーパー筒部５１の基端側に設けられるフランジ５２と、同じく基端側に設けられピンの胴部５６の周囲に設けられる環状溝５６ａ、５６ｂ（下記）に係止する係止片５３とを有する。係止片５３はピンの胴部外面を付勢する。ピン５５は、胴部５６および胴部５６の基端側に設けられた皿部５７を有する。本体の係止片５３は、ピン５５が押し込められる前にはピン胴部の先端側環状溝５６ａに係止している。
【００２４】
図６に示すように、ピンの胴部５６をテーパー筒部の貫通孔５１ａに押し込めることにより本体のテーパー筒部５１は拡径し、本体の係止片５３がピンの基端側環状溝５６ｂに入り込むまで押し込まれる。この状態で本体のテーパー筒部５１の外面は天板の孔７の内面を押圧し、リベット４８により背板４４は固定される。
【００２５】
図７は、本発明の別の連結部材を示し、（ａ）は中実アレー形、（ｂ）は中実Ｉ字形、（ｃ）は中実異形Ｉ字形の各断面図である。これら連結部材２４、２５および２６は、いずれも図３に示した連結部材２３と同じように中実の断面形状で、その断面において、一端側部分３６と他端側部分３８の幅は連結部材の中央部分４０の幅に比べ大きく形成される。これにより、天板の溝６と側板の溝１１にそれぞれ連結部材の一端側部分３６、他端側部分３８を挿入することにより天板５と側板１０とは連結部材２４、２５、２６を介して連結される。
【００２６】
図８は、本発明のさらに別の連結部材を示し、（ａ）は中空鼓形、（ｂ）は中空アレー形、（ｃ）は中空Ｉ字形の各断面図である。各連結部材２７、２８および２９は、図の上下方向中央にリブ４２を有する。中空の連結部材２７、２８および２９は、中実の連結部材と同様に強度を有するとともに、軽量化と材料節約ができる。
【００２７】
図９は、本発明のさらに別の連結部材を示し、（ａ）は開断面鼓形、（ｂ）は開断面アレー形、（ｃ）は開断面異形アレー形、（ｄ）は開断面鋏形の各断面図である。これらの連結部材３０〜３３は、一端側部分３６および他端側部分３８の幅が縮小可能であるので、一端側部分３６および他端側部分３８を縮小させた状態で天板の溝６や側板の溝１１に挿入し、一端側部分３６自体および他端側部分３８自体の拡大により連結部材３０〜３３を溝６、１１、１６に確実に嵌合させることができる。あるいは、連結部材３０〜３３を溝６、１１、１６に挿入後、連結部材の開断面内４３に別の心材を挿入することにより、またはビスをねじ込むことにより、連結部材の一端側部分３６と他端側部分３８を拡大させても良い。
【００２８】
図１０は、本発明の収納体において、連結部材を挿入した後、その端部を覆うためのキャップを示し、（ａ）は裏面図、（ｂ）は（ａ）の側面図である。キャップ５９には二つの突起６０が形成され、図１に示す連結部材２３の端面に突起６０部分を嵌めてキャップ５９とする。この場合、連結部材２３の端面は天板５の正面木口や側板１０の正面木口の面から少なくとも突起６０の突出分だけ凹むように形成される。
【実施例２】
【００２９】
図１１は、本発明に係る収納体の別の実施形態を示す要部断面図である。連結部材３４は、その断面において中央部分４０がブロック状に形成される。このため連結部材の一端側部分３６と他端側部分３８は、互いに離れた状態に設けられる。この連結部材３４を使用して天板５と側板１０とを連結したときは、天板５と側板１０とは連結部材の中央部分４０の厚み分だけ離れた状態で連結される。図１１におけるその他の構造と作用は、図１〜１０に示した実施形態の場合と同じであるので、その説明を省略する。
【００３０】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３１】
本発明の収納体は、住宅内収納設備、家具または什器などに適用可能なもので、たとえばクローゼット収納棚、玄関収納ユニット、下駄箱、キッチンユニットなどに好適に利用可能である。
【図面の簡単な説明】
【００３２】
【図１】本発明に係る収納体の一実施形態を示し、背板を外した状態の斜視図である。
【図２】図１における右側面図である。
【図３】図１、２における連結部材の断面図である。
【図４】図１〜３に示す枠体の組立方法を説明する図で、（ａ）は天板の溝の開口部と側板の溝の開口部とを対向させた状態の斜視図、（ｂ）は天板の溝と側板の溝とに連結部材を挿入する状態の斜視図である。
【図５】背板を天板に着脱自在のリベットで固定する状態の要部断面図である。
【図６】図５においてピンの胴部を本体のテーパー筒部に押し込めて背板を枠体に固定した状態の要部断面図である。
【図７】本発明の別の連結部材を示し、（ａ）は中実アレー形、（ｂ）は中実Ｉ字形、（ｃ）は中実異形Ｉ字形の各断面図である。
【図８】本発明のさらに別の連結部材を示し、（ａ）は中空鼓形、（ｂ）は中空アレー形、（ｃ）は中空Ｉ字形の各断面図である。
【図９】本発明のさらに別の連結部材を示し、（ａ）は開断面鼓形、（ｂ）は開断面アレー形、（ｃ）は開断面異形アレー形、（ｄ）は開断面鋏形の各断面図である。
【図１０】本発明の収納体において、連結部材を挿入した後、その端部を覆うためのキャップを示し、（ａ）は裏面図、（ｂ）は（ａ）の側面図である。
【図１１】本発明に係る収納体の別の実施形態を示す要部断面図である。
【符号の説明】
【００３３】
２  収納体
４  枠体
５  天板（木質部材）
６  溝
１０  側板（木質部材）
１１  溝
１５  底板（木質部材）
１６  溝
１９  背面
２１  奥行き方向
２３〜３４  連結部材
３６  一端側部分
３８  他端側部分
４０  中央部分
４４  背板
４８  リベット（固定手段）
５０  本体
５５  ピン
【図１】
2007037883.tif 000003
【図２】
2007037883.tif 000004
【図３】
2007037883.tif 000005
【図４】
2007037883.tif 000006
【図５】
2007037883.tif 000007
【図６】
2007037883.tif 000008
【図７】
2007037883.tif 000009
【図８】
2007037883.tif 000010
【図９】
2007037883.tif 000011
【図１０】
2007037883.tif 000012
【図１１】
2007037883.tif 000013